(57)【特許請求の範囲】
【請求項１】
紙葉類又はポケットと、前記紙葉類又は前記ポケットの一端側を綴じ込む綴じ具と、前記綴じ具に装着され前記紙葉類又は前記ポケットを外側から保護する表表紙と裏表紙とを備え、前記紙葉類又は前記ポケットの他端側を前記表表紙及び前記裏表紙とともに前記綴じ具を支点に３６０度開いて折り返すことができるファイルであって、
前記表表紙の幅方向先端部及び前記裏表紙の幅方向先端部には、前記紙葉類又は前記ポケットの他端側を前記表表紙及び前記裏表紙とともに前記綴じ具を支点に略３６０度開いて折り返したとき、前記紙葉類又は前記ポケットの他端側の先端部における上下方向の全部又は一部と略揃うように短縮形成された把持用短縮部をそれぞれ備えていることを特徴とするファイル。 
【請求項２】
請求項１に記載されたファイルにおいて、
前記表表紙と前記紙葉類又は前記ポケットとの間、及び前記裏表紙と前記紙葉類又は前記ポケットとの間には、一端側で前記綴じ具に装着され、前記紙葉類又は前記ポケットと略同一サイズの大きさに形成された中間体をそれぞれ備えていることを特徴とするファイル。 
【請求項３】
請求項２に記載されたファイルにおいて、
前記中間体は、一部が開封可能に形成された袋状部材であり、前記綴じ具に装着された一端側と対向する前記中間体の他端側には、上下方向に形成された折り目を有し蛇腹状に折り畳まれた折畳み部を備えていることを特徴とするファイル。 
【請求項４】
請求項２に記載されたファイルにおいて、
前記中間体は、前記綴じ具に装着された一端側が所定の厚みを有する他端側より薄いフィルム部材で形成されていることを特徴とするファイル。 
【請求項５】
請求項２乃至請求項４のいずれか１項に記載されたファイルにおいて、
前記中間体には、前記把持用短縮部に沿って切り取られた前記表表紙及び前記裏表紙の短縮片又はその相当物が、前記表表紙及び前記裏表紙を閉じた閉じ状態における前記把持用短縮部の内側と切り取り部で重なるように溶着又は貼着されていることを特徴とするファイル。 
【請求項６】
請求項１乃至請求項５のいずれか１項に記載されたファイルにおいて、
前記綴じ具には、前記紙葉類又は前記ポケットの一端側に形成された綴じ孔に挿入される綴じ部材と、背表紙が装着されたベース部とを備え、
前記ベース部は、その幅方向の外形寸法が前記綴じ部材の幅方向の外形寸法より小さいことを特徴とするファイル。
【発明の詳細な説明】
【技術分野】
【０００１】
本発明は、紙葉類又は紙葉類を収納する袋状部材（以下、「ポケット」とも云う）と、紙葉類又はポケットの一端側を綴じ込む綴じ具と、綴じ具に装着され紙葉類又はポケットを外側から保護する表表紙と裏表紙とを備え、紙葉類又はポケットの他端側を表表紙及び裏表紙とともに綴じ具を支点に略３６０度開いて折り返すことができるファイルに関する。
【背景技術】
【０００２】
例えば、特許文献１には、図１６、図１７（Ａ）〜（Ｃ）に示すように、一端側に綴じ孔１０１が形成された複数の紙葉類１０２と、綴じ孔１０１に半円弧状の綴じ部材１０３ａを挿入して紙葉類１０２を綴じ込む綴じ具１０３と、綴じ具１０３に装着され紙葉類１０２を外側から保護する表表紙１０４と裏表紙１０５とを備えたファイル１００が記載されている。綴じ具１０３は、上下方向（長手方向）に延設された軸部１０３ｂを中心に綴じ部材１０３ａが回動し、その先端部が幅方向に開閉できる構造となっている。
【０００３】
上記ファイル１００によれば、紙葉類１０２の一端側を綴じ具１０３に綴じ、表表紙１０４及び裏表紙１０５を閉じた閉じ状態（図１７（Ａ）に示す状態）から、紙葉類１０２の他端側を表表紙１０４及び裏表紙１０５とともに綴じ具１０３を支点に略３６０度開いて折り返し、表表紙１０４と裏表紙１０５とを重ね合わせた３６０度開き状態（図１７（Ｃ）に示す状態）で保持しながら、任意の紙葉類１０２に所要の筆記等を行うことができる。したがって、上記ファイル１００は、紙葉類の他端側が略１８０度しか開かないファイルに比べ、紙葉類１０２の他端側を略３６０度開いて折り返すことによって、上記３６０度開き状態におけるファイルの大きさを略半分にでき、電車等の狭いスペース内でも紙葉類１０２に所要の筆記等を楽に行うことができるので、その利便性が向上する。
【０００４】
しかし、上記ファイル１００では、綴じ具１０３に背表紙が装着されていないので、図１７（Ａ）に示す閉じ状態で書棚等に収納したファイル１００を取り出す際、必要なファイルを探しにくいという不便さがあった。
【０００５】
この不便さを解消するため、図１８に示すように、綴じ具１０３Ｂに背表紙１０７が装着できるように改良されたファイル１００Ｂが、市販されている。この改良型のファイル１００Ｂは、一端側に綴じ孔１０１が形成された複数の紙葉類１０２と、綴じ孔１０１に綴じ部材１０３ａを挿入して紙葉類１０２を綴じ込む綴じ具１０３Ｂと、綴じ具１０３Ｂの軸部１０３ｂに回動可能に支持された支持板１０６と、支持板１０６に装着された背表紙１０７と、背表紙１０７の幅方向両端部に連接され紙葉類１０２を外側から保護する表表紙１０４と裏表紙１０５とを備えている。
【０００６】
上記改良型のファイル１００Ｂによれば、図１９に示すように、紙葉類１０２の他端側を表表紙１０４及び裏表紙１０５とともに綴じ具１０３Ｂを支点に略３６０度開いて折り返すことができるとともに、綴じ具１０３Ｂの支持板１０６に装着された背表紙１０７にファイル名等を表示することによって、閉じ状態で書棚等に収納したファイル１００Ｂを取り出す際、必要なファイルを探しやすいという利点もある。
【先行技術文献】
【特許文献】
【０００７】
【特許文献１】特開２０１０−１２０３６７号公報
【発明の概要】
【発明が解決しようとする課題】
【０００８】
しかしながら、上記改良型のファイル１００Ｂでは、図１９、図２０に示すように、紙葉類１０２の他端側を表表紙１０４及び裏表紙１０５とともに綴じ具１０３Ｂを支点に略３６０度開いて折り返したとき、紙葉類１０２と表表紙１０４及び裏表紙１０５との内外が逆転するので、紙葉類１０２の他端側の先端部１０２ｂが、表表紙１０４の幅方向先端部１０４ｂ及び裏表紙１０５の幅方向先端部１０５ｂより綴じ具側に大きく位置ずれ（後退）してしまう。そのため、３６０度開き状態を保持すべく、紙葉類１０２の他端側の先端部１０２ｂ近傍を片手で握るとき、表表紙１０４の幅方向先端部１０４ｂ及び裏表紙１０５の幅方向先端部１０５ｂが邪魔となって、折り返したファイル１００Ｂを片手で安定して保持できないという問題があった。特に、図２０に示すように、折り返したファイル１００Ｂを片手で水平状に保持する場合、ファイル１００Ｂを下方から支える人差し指や中指等がファイル１００Ｂの幅方向寸法の１／３程度までしか届かず、ファイル１００Ｂの綴じ具側が下方へ垂れやすくなるとともに、それを支える指への負担も過大となる問題があった。
【０００９】
この問題は、例えば、図２１に示す一端側が綴じ具２０２で綴じられた複数のポケット２０１と、綴じ具２０２が装着された背表紙２０３と、背表紙２０３の幅方向両端部に連接されポケット２０１を外側から保護する表表紙２０４と裏表紙２０５とを備えたポケット式のファイル２００においても、同様である。すなわち、ポケット２０１の他端側を表表紙２０４及び裏表紙２０５とともに綴じ具２０２を支点に略３６０度開いて折り返した３６０度開き状態とし、その３６０度開き状態を保持すべく、ポケット２０１の他端側の先端部１０２ｂ近傍を片手で握るとき、表表紙２０４の幅方向先端部２０４ｂ及び裏表紙２０５の幅方向先端部２０５ｂが邪魔となって、折り返したファイル２００を片手で安定して保持できないという問題があった。
【００１０】
本発明は、上記問題点を解決するためになされたものであり、その目的は、表表紙と裏表紙とを装着した綴じ具に一端側で綴じた紙葉類又はポケットの他端側を表表紙及び裏表紙とともに略３６０度開いて折り返すことによって、ファイルをコンパクト化できるとともに、折り返したファイルを片手で安定して保持しやすいファイルを提供することである。
【課題を解決するための手段】
【００１１】
上記課題を解決するために、本発明に係るファイルは、次のような構成を有している。
（１）紙葉類又はポケットと、前記紙葉類又は前記ポケットの一端側を綴じ込む綴じ具と、前記綴じ具に装着され前記紙葉類又は前記ポケットを外側から保護する表表紙と裏表紙とを備え、前記紙葉類又は前記ポケットの他端側を前記表表紙及び前記裏表紙とともに前記綴じ具を支点に３６０度開いて折り返すことができるファイルであって、
前記表表紙の幅方向先端部及び前記裏表紙の幅方向先端部には、前記紙葉類又は前記ポケットの他端側を前記表表紙及び前記裏表紙とともに前記綴じ具を支点に略３６０度開いて折り返したとき、前記紙葉類又は前記ポケットの他端側の先端部における上下方向の全部又は一部と略揃うように短縮形成された把持用短縮部をそれぞれ備えていることを特徴とする。ここで、上下方向とは、綴じ具の軸方向（長手方向）を意味し、幅方向とは、その軸方向（長手方向）と直交する方向を意味する。
【００１２】
本発明においては、表表紙の幅方向先端部及び裏表紙の幅方向先端部には、紙葉類又はポケットの他端側を表表紙及び裏表紙とともに綴じ具を支点に略３６０度開いて折り返したとき、紙葉類又はポケットの他端側の先端部における上下方向の全部又は一部と略揃うように短縮形成された把持用短縮部をそれぞれ備えているので、綴じ具に一端側で綴じた紙葉類又はポケットの他端側を表表紙及び裏表紙とともに略３６０度開いて折り返した３６０度開き状態とし、その３６０度開き状態を保持すべく、把持用短縮部が形成された範囲で紙葉類又はポケットの他端側の先端部近傍を片手で握るとき、表表紙の幅方向先端部及び裏表紙の幅方向先端部は、紙葉類又はポケットの他端側の先端部より突出せず、邪魔とならない。そのため、把持用短縮部が形成された範囲においては、３６０度開き状態に折り返したファイルを片手で安定して保持することができる。その結果、電車等の狭いスペース内でも折り返したファイルを片手で保持しながら、紙葉類に所要の筆記等を楽に行うことができ、又は、ポケットに収納した紙葉類に記載された文字等を楽に読むことができる。
【００１３】
よって、本発明によれば、表表紙と裏表紙とを装着した綴じ具に一端側で綴じた紙葉類又はポケットの他端側を表表紙及び裏表紙とともに略３６０度開いて折り返すことによって、ファイルをコンパクト化できるとともに、折り返したファイルを片手で安定して保持しやすいファイルを提供することができる。
【００１４】
なお、表表紙および裏表紙の把持用短縮部は、ファイルの上下方向における中間部又は当該中間部を含む下方に形成することが好ましい。また、本ファイルには、紙葉類のみ又はポケットのみを綴じ込む場合に限らず、紙葉類とポケットとを両方綴じ込むこともできる。
【００１５】
（２）（１）に記載されたファイルにおいて、
前記表表紙と前記紙葉類又は前記ポケットとの間、及び前記裏表紙と前記紙葉類又は前記ポケットとの間には、一端側で前記綴じ具に装着され、前記紙葉類又は前記ポケットと略同一サイズの大きさに形成された中間体をそれぞれ備えていることを特徴とする。
【００１６】
本発明においては、表表紙と紙葉類又はポケットとの間、及び裏表紙と紙葉類又はポケットとの間には、一端側で綴じ具に装着され、紙葉類又はポケットと略同一サイズの大きさに形成された中間体をそれぞれ備えているので、表表紙及び裏表紙を閉じた閉じ状態にて把持用短縮部によって露出される紙葉類又はポケットを中間体が保護することができる。そのため、閉じ状態におけるファイルを鞄等に出し入れする場合や、当該ファイルを把持して持ち歩く場合等において、表表紙及び裏表紙によってカバーされない紙葉類又はポケットが汚れや損傷等を生じるのを中間体によって防止することができる。
【００１７】
よって、本発明によれば、表表紙及び裏表紙によってカバーされない紙葉類又はポケットの汚れや損傷等を中間体によって防止しつつ、ファイルをコンパクト化できるとともに、折り返したファイルを片手で安定して保持しやすいファイルを提供することができる。
【００１８】
（３）（２）に記載されたファイルにおいて、
前記中間体は、一部が開封可能に形成された袋状部材であり、前記綴じ具に装着された一端側と対向する前記中間体の他端側には、上下方向に形成された折り目を有し蛇腹状に折り畳まれた折畳み部を備えていることを特徴とする。
【００１９】
本発明においては、中間体は、一部が開封可能に形成された袋状部材であり、綴じ具に装着された一端側と対向する中間体の他端側には、上下方向に形成された折り目を有し蛇腹状に折り畳まれた折畳み部を備えているので、多重構造となった折畳み部によって他端側における中間体の強度を高めることができる。そのため、表表紙及び裏表紙によってカバーされない紙葉類又はポケットの汚れや損傷等を、増強された中間体の折畳み部によって、より一層防止することができる。
【００２０】
また、袋状部材である中間体の内部に予備の紙葉類又は綴じ孔が形成されていない紙葉類を収納することによって、中間体の強度を更に高めることができる。例えば、他端側に蛇腹状に折り畳まれた折畳み部の折り目を幅方向に伸ばして、中間体の内部に紙葉類を収納することによって、中間体における他端側の厚さをより一層増加させ、これによって他端側の強度を高めることができる。なお、中間体は、綴じ具に綴じ込まれた紙葉類と略同一の大きさの紙葉類を収納可能に形成されていることが好ましい。この場合、中間体には、綴じ孔が形成されていない紙葉類を一時的に保管することもできる。
【００２１】
よって、本発明によれば、表表紙及び裏表紙によってカバーされない紙葉類の汚れや損傷等を、厚みを増加させた折畳み部によって確実に防止しつつ、ファイルをコンパクト化できるとともに、折り返したファイルを片手で安定して保持しやすいファイルを提供することができる。
【００２２】
（４）（２）に記載されたファイルにおいて、
前記中間体は、前記綴じ具に装着された一端側が所定の厚みを有する他端側より薄いフィルム部材で形成されていることを特徴とする。
【００２３】
本発明においては、中間体は、綴じ具に装着された一端側が所定の厚みを有する他端側より薄いフィルム部材で形成されているので、把持用短縮部に対応する他端側で中間体の厚みを増加させつつ、綴じ具に綴じ込む一端側で中間体の厚みを減少させることができる。そのため、綴じ具に綴じ込む紙葉類又はポケットの枚数を減少させることなく、他端側の厚みを増加させた中間体を装着することができる。
【００２４】
よって、本発明によれば、綴じ具に綴じ込む紙葉類又はポケットの必要枚数を確保しやすく、且つ表表紙及び裏表紙によってカバーされない紙葉類又はポケットの汚れや損傷等を、他端側の厚みを増加させた中間体によって確実に防止しつつ、ファイルをコンパクト化できるとともに、折り返したファイルを片手で安定して保持しやすいファイルを提供することができる。
【００２５】
（５）（２）乃至（４）のいずれか１つに記載されたファイルにおいて、
前記中間体には、前記把持用短縮部に沿って切り取られた前記表表紙及び前記裏表紙の短縮片又はその相当物が、前記表表紙及び前記裏表紙を閉じた閉じ状態における前記把持用短縮部の内側と切り取り部で重なるように溶着又は貼着されていることを特徴とする。
【００２６】
本発明においては、中間体には、把持用短縮部に沿って切り取られた表表紙及び裏表紙の短縮片又はその相当物が、表表紙及び裏表紙を閉じた閉じ状態における把持用短縮部の内側と切り取り部で重なるように溶着又は貼着されているので、表表紙及び裏表紙を閉じた閉じ状態において、表表紙の把持用短縮部と中間体に溶着又は貼着された短縮片又はその相当物との境界部及び裏表紙の把持用短縮部と中間体に溶着又は貼着された短縮片又はその相当物との境界部で隙間を形成させず、一見、把持用短縮部が形成されていない表表紙及び裏表紙を備えた普通のファイルと略同様に見える。そのため、表表紙及び裏表紙を閉じた閉じ状態におけるファイルの外観上の見栄えを向上させつつ、強度を高めることができる。
【００２７】
よって、本発明によれば、ファイルの外観上の見栄えと強度とを向上させつつ、ファイルをコンパクト化できるとともに、折り返したファイルを片手で安定して保持しやすいファイルを提供することができる。
【００２８】
（６）（１）乃至（５）のいずれか１つに記載されたファイルにおいて、
前記綴じ具のベース部は、その幅方向の外形寸法が前記綴じ部材の幅方向の外形寸法より小さいことを特徴とする。
【００２９】
本発明においては、綴じ具のベース部は、その幅方向の外形寸法が綴じ部材の幅方向の外形寸法より小さいので、綴じ具に綴じた紙葉類又はポケットの他端側を表表紙及び裏表紙とともに綴じ具を支点に略３６０度開いて折り返したとき、紙葉類又はポケットを略平行に折り返すことができる。そのため、略３６０度開いて折り返した紙葉類に所要の筆記等を行う際、紙葉類の膨らみが少なく書きやすい効果、又は略３６０度開いて折り返したポケットに収納した紙葉類に記載した文字等を読む際、ポケットに収納した紙葉類の膨らみが少なく判読しやすい効果、を奏することができる。
【００３０】
よって、本発明によれば、略３６０度開いて折り返した紙葉類又はポケットに収納した紙葉類に対する筆記性、判読性を向上させつつ、ファイルをコンパクト化できるとともに、折り返したファイルを片手で安定して保持しやすいファイルを提供することができる。
【発明の効果】
【００３１】
本発明によれば、表表紙と裏表紙とを装着した綴じ具に一端側で綴じた紙葉類又はポケットの他端側を表表紙及び裏表紙とともに略３６０度開いて折り返すことによって、ファイルをコンパクト化できるとともに、折り返したファイルを片手で安定して保持しやすいファイルを提供することができる。
【図面の簡単な説明】
【００３２】
【図１】本実施形態に係るファイルの第１実施例（第４実施例）の斜視図である。
【図２】図１に示すＡ―Ａ断面図である。
【図３】図１に示すＡ―Ａ断面において、綴じ具に一端側で綴じた紙葉類の他端側を表表紙及び裏表紙とともに略３６０度開いて折り返した３６０度開き状態の断面図である。
【図４】図３に示す折り返したファイルを片手で略水平状に保持した状態の斜視図である。
【図５】図１に示す袋状の中間体の斜視図である。
【図６】図１に示す中間体の折畳み部の詳細断面図であり、（Ａ）は折り畳まれた状態を示し、（Ｂ）は折り目を幅方向に伸ばした状態を示す。
【図７】図１に示す綴じ具の部分斜視図である。
【図８】図７に示す綴じ具における綴じ部材の平面図である。
【図９】本実施形態に係るファイルの第２実施例の斜視図である。
【図１０】図９に示すＣ−Ｃ断面図である。
【図１１】図９に示す板状の中間体の斜視図である。
【図１２】本実施形態に係るファイルの第３実施例の斜視図である。
【図１３】本実施形態に係るファイルの第４実施例の断面図である。
【図１４】本実施形態に係るファイルの第５実施例の斜視図である。
【図１５】図１４に示すＤ−Ｄ断面図である。
【図１６】特許文献１に記載されたファイルの斜視図である。
【図１７】図１６に示すファイルの横断面図であって、（Ａ）は閉じ状態を示し、（Ｂ）は１８０度開き状態を示し、（Ｃ）は３６０度開き状態を示す。
【図１８】特許文献１に記載されたファイルに対する改良型のファイルの表表紙を開いた状態の斜視図である。
【図１９】図１８に示すファイルにおいて、綴じ具に一端側で綴じた紙葉類の他端側を表表紙及び裏表紙とともに略３６０度開いて折り返した３６０度開き状態の断面図である。
【図２０】図１９に示す折り返したファイルを片手で略水平状に保持した状態の斜視図である。
【図２１】複数のポケットを閉じたポケット式のファイルの斜視図である。
【発明を実施するための形態】
【００３３】
以下、本発明に係る実施形態について、図面を参照して詳細に説明する。
はじめに、本実施形態に係るファイルにおける第１実施例の構造を詳細に説明する。次に、本実施形態に係るファイルにおける第２実施例〜第５実施例について、第１実施例との相違点を主体に説明する。
【００３４】
＜第１実施例の構造＞
まず、本実施形態に係るファイルにおける第１実施例の構造について、図１〜図８を用いて詳細に説明する。図１に、本実施形態に係るファイルの第１実施例（第４実施例）の斜視図を示す。図２に、図１に示すＡ―Ａ断面図を示す。図３に、図１に示すＡ―Ａ断面において、綴じ具に一端側で綴じた紙葉類の他端側を表表紙及び裏表紙とともに略３６０度開いて折り返した３６０度開き状態の断面図を示す。図４に、図３に示すファイルを片手で略水平状に保持した状態の斜視図を示す。図５に、図１に示す袋状の中間体の斜視図を示す。図６に、図１に示す中間体の折畳み部の詳細断面図を示し、（Ａ）は折り畳まれた状態を示し、（Ｂ）は折り目を幅方向に伸ばした状態を示す。図７に、図１に示す綴じ具の部分斜視図を示す。図８に、図７に示す綴じ具における綴じ部材の平面図を示す。
【００３５】
図１〜図４に示すように、本第１実施例のファイル１０は、一端側に綴じ孔１１が形成された複数の紙葉類１と、綴じ孔１１に綴じ部材２１を挿入して紙葉類１を綴じ込む綴じ具２と、綴じ具２のベース部２２に装着された背表紙３と、当該背表紙３の幅方向両端部にインテグラルヒンジを介して連続して形成され紙葉類１を外側から保護する表表紙４と裏表紙５とを備え、紙葉類１の他端側を表表紙４及び裏表紙５とともに綴じ具２を支点に略３６０度開いて折り返すことができるファイルである。
【００３６】
また、表表紙４の幅方向先端部４１及び裏表紙５の幅方向先端部５１には、紙葉類１の他端側を表表紙４及び裏表紙５とともに綴じ具２を支点に略３６０度開いて折り返したとき、紙葉類１の綴じ孔１１が形成された一端側と対向する他端側の先端部１２における上下方向の一部（中間部から下方）と略揃うように短縮形成された把持用短縮部４２、５２をそれぞれ備えている。表表紙４の幅方向先端部４１と把持用短縮部４２との間、及び裏表紙５の幅方向先端部５１と把持用短縮部５２との間には、傾斜状の徐変区間が形成されている。なお、把持用短縮部４２、５２は、紙葉類１の他端側の先端部１２における上下方向の全部又は中間部と略揃うように短縮形成されてもよい。
【００３７】
また、図１に示すように、表表紙４の把持用短縮部４２と裏表紙５の把持用短縮部５２とを、上下方向における中間部から下方（上下方向における全体長の６割程度）に形成することによって、紙葉類１の他端側を表表紙４及び裏表紙５とともに綴じ具２を支点に略３６０度開いて折り返した３６０度開き状態（図３に示す状態）で、図４に示すように、把持用短縮部４２、５２が形成された範囲において、表表紙４の幅方向先端部４１及び裏表紙５の幅方向先端部５１に邪魔されることなく、紙葉類１の他端側の先端部１２近傍を親指と人差し指等との全体を使って確実に握ることができる。
【００３８】
具体的には、図４に示すように、折り返したファイル１０を片手で略水平状に保持する場合、例えばＡ４サイズ程度のファイルであれば、ファイル１０を下方から支える人差し指や中指等がファイルの中央付近まで届くので、ファイル１０の綴じ具側が下方へ垂れることなく、支える指への負担も軽減できる。したがって、折り返したファイル１０を片手で安定して保持することができる利点がある。また、閉じ状態のファイル１０を書棚等に収納するときに上方（上下方向における全体長の４割程度）を先行して収納させることによって、収納時における表表紙及び裏表紙の引っ掛かりを回避することもできる。
【００３９】
また、図１、図５に示すように、表表紙４と紙葉類１との間及び裏表紙５と紙葉類１との間には、一端側に綴じ部材２１を挿入する綴じ孔６１が形成され、紙葉類１と略同一サイズの大きさに形成された中間体６をそれぞれ備えている。この中間体６は、図５に示すように、下端部６４が封止され、上端部６３が開封可能に形成されたビニール製の袋状部材であり、綴じ孔６１が形成された一端側と対向する他端側には、上下方向に平行に形成された５つの折り目６２１、６２２、６２３、６２４、６２５を有し、当該折り目で蛇腹状に折り畳まれた折畳み部６２を備えている。中間体６における他端側の先端部を形成する折り目６２１は、紙葉類１の他端側の先端部１２と略同一の位置に来るように形成されている。なお、中間体６は、一部が開封可能に形成されていればよく、例えば、下端部６４が開封され、上端部６３が封止されたビニール製の袋状部材であってもよい。
【００４０】
また、図５、図６に示すように、折畳み部６２の折り目６２１、６２３、６２４は、山折りに形成された折り目であり、折り目６２２、６２５は、谷折りに形成された折り目である。山折りの折り目６２１、６２４によって区画される折畳み部６２の上面部６２Ｐは、上下方向に略一定の幅で形成されている。折畳み部６２の上面部６２Ｐは、閉じ状態において表表紙４の把持用短縮部４２と裏表紙５の把持用短縮部５２とをカバーする大きさ（幅寸法）で形成されている（図１、図２を参照）。なお、折畳み部６２は、３つの折り目６２１、６２４、６２５又は折り目６２１、６２２、６２３によって形成することもできる。
【００４１】
また、図６（Ａ）、（Ｂ）に示すように、折畳み部６２の上面部６２Ｐの厚みのみ又は上面部６２Ｐと折り目６２１、６２２によって区画される前端内面部６２Ｑとを、他の袋状部材の厚みより厚くすることによって、折畳み部６２の強度を更に向上させることもできる。また、折畳み部６２の上面部６２Ｐの模様や色彩等を、表表紙４や裏表紙５の模様や色彩等と略同一とすることによって、ファイル１０の外観上の見栄えを向上させることが好ましい。また、図６（Ｂ）に示すように、蛇腹状に折り畳まれた折畳み部６２の折り目６２１、６２２、６２３、６２４、６２５を幅方向に伸ばすことによって、中間体６の内部には、綴じ具２に綴じ込まれた紙葉類１と同一の大きさの紙葉類ＳＳ（未だ綴じ孔１１が形成されていないもの）を収納可能とすることが好ましい。
【００４２】
また、図２、図３、図７に示すように、綴じ具２のベース部２２は、その幅方向（矢印Ｆの方向）の外形寸法が綴じ部材２１の幅方向の外形寸法より小さくなるように形成されている。すなわち、図７に示すように、綴じ部材２１（２１Ａ、２１Ｂ）には、ベース部２２の側壁２２Ａ、２２Ｂから幅方向外方へそれぞれ突出して形成された左右の基端部２１ＡＢ、２１ＢＢと、当該基端部２１ＡＢ、２１ＢＢの先端側で幅方向内方へ湾曲して形成された左右の先端部２１ＡＳ、２１ＢＳとを備えている。したがって、ベース部２２の側壁２２Ａ、２２Ｂ同士の幅方向の外形寸法は、左右の基端部２１ＡＢ、２１ＢＢ同士の幅方向の外形寸法より小さくなり、一端側で綴じ具２に綴じた紙葉類１の他端側を表表紙４及び裏表紙５とともに綴じ具２を支点に略３６０度開いて折り返したとき、紙葉類１を略平行に折り返すことができる。
【００４３】
また、図７、図８に示すように、綴じ部材２１の先端部２１ＡＳ、２１ＢＳには、綴じ具２の軸中心線ＣＬ付近で当接する当接部ＴＳが、傾斜状に形成されている。綴じ部材２１の先端部２１ＡＳ、２１ＢＳは、ベース部２２の側壁２２Ａ、２２Ｂが、図示しない連結機構等を介して幅方向（矢印Ｆの方向）に開閉することによって、当接離間する。また、綴じ部材２１の左右の基端部２１ＡＢ、２１ＢＢは、少なくとも基端部２１ＡＢ、２１ＢＢの上下方向の外形寸法ＴＨ以上に上下方向で位置ずれして形成されている。このように、綴じ部材２１の左右の基端部２１ＡＢ、２１ＢＢが、少なくとも基端部２１ＡＢ、２１ＢＢの上下方向の外形寸法ＴＨ以上に上下方向で位置ずれすることによって、複数のファイル１０を重ね合わせて書棚等に収納する時に、隣接する基端部同士の干渉を避けることができ、ファイル収納数を増加させることができる。
【００４４】
なお、図１、図２に示すように、表表紙４と裏表紙５には、当該ファイル１０における綴じ部材２１の基端部２１ＡＢ、２１ＢＢと、隣接して収納するファイル１０における綴じ部材２１の基端部２１ＡＢ、２１ＢＢとを、それぞれ挿通できる大きさの挿通孔４３、５３が形成されている。また、背表紙３は、綴じ具２のベース部２２（２２Ｂ）に締結具３２によって固定されている。また、背表紙３には、ファイル名等を表示する表示部３１が装着されている。
【００４５】
＜第２実施例の構造＞
次に、本実施形態に係るファイルにおける第２実施例について、図９〜図１１を用いて詳細に説明する。図９に、本実施形態に係るファイルの第２実施例の斜視図を示す。図１０に、図９に示すＣ−Ｃ断面図を示す。図１１に、図９に示す板状の中間体の斜視図を示す。ここでは、第１実施例のファイルと相違する中間体６Ｂを中心に説明する。図９〜図１１において、第１実施例のファイルと共通する構成は、同一の符号を付し、その説明を割愛する場合がある。
【００４６】
図９〜図１１に示すように、本第２実施例のファイル１０Ｂは、一端側に綴じ孔１１が形成された複数の紙葉類１と、綴じ孔１１に綴じ部材２１を挿入して紙葉類１を綴じ込む綴じ具２と、綴じ具２のベース部２２に装着された背表紙３と、当該背表紙３の幅方向両端部にインテグラルヒンジを介して連続して形成され紙葉類１を外側から保護する表表紙４と裏表紙５とを備え、紙葉類１の他端側を表表紙４及び裏表紙５とともに綴じ具２を支点に略３６０度開いて折り返すことができるファイルである。
【００４７】
また、表表紙４の幅方向先端部４１及び裏表紙５の幅方向先端部５１には、紙葉類１の他端側を表表紙４及び裏表紙５とともに綴じ具２を支点に略３６０度開いて折り返したとき、紙葉類１の綴じ孔１１が形成された一端側と対向する他端側の先端部１２における上下方向の一部（中間部から下方）と略揃うように短縮形成された把持用短縮部４２、５２をそれぞれ備えている。表表紙４の幅方向先端部４１と把持用短縮部４２との間、及び裏表紙５の幅方向先端部５１と把持用短縮部５２との間には、傾斜状の徐変区間が形成されている。なお、把持用短縮部４２、５２は、紙葉類１の他端側の先端部１２における上下方向の全部又は中間部と略揃うように短縮形成されてもよい。以上の構成は、第１実施例と共通する。
【００４８】
また、表表紙４と紙葉類１との間及び裏表紙５と紙葉類１との間には、一端側に綴じ部材２１を挿入する綴じ孔６１が形成され紙葉類１と略同一サイズの大きさに形成された板状の中間体６Ｂをそれぞれ備えている。この中間体６Ｂは、第１実施例の中間体６とは、以下の構成が相違する。すなわち、第２実施例の中間体６Ｂは、綴じ孔６１を有する一端側が所定の厚みを有する他端側より薄いフィルム部材６５で形成されている。
【００４９】
図１１に示すように、フィルム部材６５は、第１実施例の中間体６を、綴じ孔６１を含む所定の幅で上下方向に平行に切断して形成されている。中間体６Ｂの他端側は、所定の厚みを有する矩形状の台紙６６で構成されている。台紙６６は、和紙等の厚紙でも、プラスチックシートでも良い。フィルム部材６５と台紙６６とは、中間体６Ｂ全体の平面サイズが紙葉類１と略同一サイズになるように接合されている。
【００５０】
また、図９〜図１１に示すように、中間体６Ｂには、把持用短縮部４２、５２に沿って切り取られた表表紙４及び裏表紙５の短縮片６７又はその相当物が、表表紙４及び裏表紙５を閉じた閉じ状態における把持用短縮部４２、５２の内側に切り取り部６７ａで重なるように溶着又は貼着されている。すなわち、短縮片６７又はその相当物は、表表紙４及び裏表紙５を閉じた閉じ状態において、表表紙４の把持用短縮部４２と中間体６Ｂに溶着又は貼着された短縮片６７又はその相当物との境界部で、及び裏表紙５の把持用短縮部５２と中間体６Ｂに溶着又は貼着された短縮片６７又はその相当物との境界部で、微少幅の重なり部が形成されている。そのため、両者の境界部で隙間が生じにくく、一見、把持用短縮部が形成されていない表表紙及び裏表紙を備えた普通のファイルと略同様に見える。
【００５１】
なお、短縮片６７の相当物は、少なくともその外形形状が短縮片６７の外形形状と略同一であれば、表表紙４及び裏表紙５から直接に切り取ったものでなくてもよい。短縮片６７又はその相当物は、表表紙４や裏表紙５の模様や色彩等と略同一とすることによって、ファイル１０の外観上の見栄えを向上させることが好ましい。
【００５２】
＜第３実施例の構造＞
次に、本実施形態に係るファイルにおける第３実施例について、図１２を用いて詳細に説明する。図１２に、本実施形態に係るファイルの第３実施例の斜視図を示す。ここでは、第１実施例のファイルと相違する表表紙４Ｃ及び裏表紙５Ｃを中心に説明する。図１２において、第１実施例のファイルと共通する構成は、同一の符号を付し、その説明を割愛する場合がある。
【００５３】
図１２に示すように、本第３実施例のファイル１０Ｃは、一端側に綴じ孔１１（図２を参照）が形成された複数の紙葉類１と、綴じ孔１１に綴じ部材２１を挿入して紙葉類１を綴じ込む綴じ具２と、一端側に綴じ具２の綴じ部材２１に挿通される挿通孔４３Ｃ、５３Ｃが形成され紙葉類１を外側から保護する表表紙４Ｃと裏表紙５Ｃとを備え、紙葉類１の他端側を表表紙４Ｃ及び裏表紙５Ｃとともに綴じ具２を支点に略３６０度開いて折り返すことができるファイルである。表表紙４Ｃ及び裏表紙５Ｃは、一端側で綴じ具２のベース部２２に装着されている。
【００５４】
また、表表紙４Ｃの幅方向先端部４１Ｃ及び裏表紙５Ｃの幅方向先端部５１Ｃには、紙葉類１の他端側を表表紙４Ｃ及び裏表紙５Ｃとともに綴じ具２を支点に略３６０度開いて折り返したとき、紙葉類１の綴じ孔１１が形成された一端側と対向する他端側の先端部１２における上下方向の一部（中間部から下方）と略揃うように短縮形成された把持用短縮部４２Ｃ、５２Ｃをそれぞれ備えている。表表紙４Ｃの幅方向先端部４１Ｃと把持用短縮部４２Ｃとの間、及び裏表紙５Ｃの幅方向先端部５１Ｃと把持用短縮部５２Ｃとの間には、傾斜状の徐変区間が形成されている。把持用短縮部４２Ｃ、５２Ｃは、紙葉類１の綴じ孔１１が形成された一端側と対向する他端側の先端部１２における上下方向の全部又は中間部と略揃うように短縮形成されてもよい。
【００５５】
なお、本第３実施例では、表表紙４Ｃ及び裏表紙５Ｃは、一端側で綴じ具２のベース部２２に装着されているので、表表紙４Ｃの幅方向先端部４１Ｃに対する把持用短縮部４２Ｃの短縮寸法、及び裏表紙５Ｃの幅方向先端部５１Ｃに対する把持用短縮部５２Ｃの短縮寸法は、第１実施例の場合より小さくてもよい。また、本第３実施例では、ファイル名等の表示部３１Ｃは、綴じ具２のベース部２２に装着されている。
【００５６】
＜第４実施例の構造＞
次に、本実施形態に係るファイルにおける第４実施例の構造について、図１、図１３を用いて詳細に説明する。図１３に、本実施形態に係るファイルの第４実施例の断面図を示す。ここでは、第１実施例のファイルと相違するポケット１Ｄを中心に説明する。図１、図１３において、第１実施例のファイルと共通する構成は、同一の符号を付し、その説明を割愛する場合がある。
【００５７】
図１、図１３に示すように、本第４実施例のファイル１０Ｄは、一端側に綴じ孔１１Ｄが形成された複数のポケット１Ｄと、綴じ孔１１Ｄに綴じ部材２１を挿入してポケット１Ｄを綴じ込む綴じ具２と、綴じ具２のベース部２２に装着された背表紙３と、当該背表紙３の幅方向両端部にインテグラルヒンジを介して連続して形成されポケット１Ｄを外側から保護する表表紙４と裏表紙５とを備え、ポケット１Ｄの他端側を表表紙４及び裏表紙５とともに綴じ具２を支点に略３６０度開いて折り返すことができるファイルである。なお、各ポケット１Ｄの一端側には、綴じ孔１１Ｄを形成するため、袋状部材を所定の幅で溶着した孔支持部１１Ｓが形成されている。また、各ポケット１Ｄの上端部には、紙葉類を収納可能に開口部が形成されている。
【００５８】
また、表表紙４の幅方向先端部４１及び裏表紙５の幅方向先端部５１には、ポケット１Ｄの他端側を表表紙４及び裏表紙５とともに綴じ具２を支点に略３６０度開いて折り返したとき、ポケット１Ｄの綴じ孔１１Ｄが形成された一端側と対向する他端側の先端部１２Ｄにおける上下方向の一部（中間部から下方）と略揃うように短縮形成された把持用短縮部４２、５２をそれぞれ備えている。表表紙４の幅方向先端部４１と把持用短縮部４２との間、及び裏表紙５の幅方向先端部５１と把持用短縮部５２との間には、傾斜状の徐変区間が形成されている。なお、把持用短縮部４２、５２は、ポケット１Ｄの他端側の先端部１２Ｄにおける上下方向の全部又は中間部と略揃うように短縮形成されてもよい。また、本第４実施例のファイル１０Ｄでは、ポケット１Ｄの一部を紙葉類１に置き換えてもよい。
【００５９】
＜第５実施例の構造＞
次に、本実施形態に係るファイルにおける第５実施例の構造について、図１４、図１５を用いて詳細に説明する。図１４に、本実施形態に係るファイルの第５実施例の斜視図を示す。図１５に、図１４に示すＤ−Ｄ断面図を示す。ここでは、第１実施例のファイルと相違するポケット１Ｅ、表表紙４Ｅ、裏表紙５Ｅ及び綴じ具２Ｅを中心に説明する。
【００６０】
図１４、図１５に示すように、本第５実施例のファイル１０Ｅは、一端側で綴じ具２Ｅに綴じられた複数のポケット１Ｅと、ポケット１Ｅを綴じ込む綴じ具２Ｅと、綴じ具２Ｅのベース部２２Ｅに装着された背表紙３Ｅと、当該背表紙３Ｅの幅方向両端部にインテグラルヒンジを介して連続して形成されポケット１Ｅを外側から保護する表表紙４Ｅと裏表紙５Ｅとを備え、ポケット１Ｅの他端側を表表紙４Ｅ及び裏表紙５Ｅとともに綴じ具２Ｅを支点に略３６０度開いて折り返すことができるファイルである。
【００６１】
また、各ポケット１Ｅは、左右対称に形成された袋状部材の中央部において、上下方向に延設された矩形状の綴じ部材２１Ｅによってベース部２２Ｅに固定されている。各ポケット１Ｅの上端部には、紙葉類を収納可能に開口部が形成されている。また、背表紙３Ｅは、綴じ具２Ｅのベース部２２Ｅに締結具３２Ｅによって固定されている。背表紙３Ｅには、ファイル名等を表示する表示部３１Ｅが装着されている。
【００６２】
また、表表紙４Ｅの幅方向先端部４１Ｅ及び裏表紙５Ｅの幅方向先端部５１Ｅには、ポケット１Ｅの他端側を表表紙４Ｅ及び裏表紙５Ｅとともに綴じ具２Ｅを支点に略３６０度開いて折り返したとき、ポケット１Ｅの他端側の先端部１２Ｅにおける上下方向の一部（中間部から下方）と略揃うように短縮形成された把持用短縮部４２Ｅ、５２Ｅをそれぞれ備えている。表表紙４Ｅの幅方向先端部４１Ｅと把持用短縮部４２Ｅとの間、及び裏表紙５Ｅの幅方向先端部５１Ｅと把持用短縮部５２Ｅとの間には、傾斜状の徐変区間が形成されている。なお、把持用短縮部４２Ｅ、５２Ｅは、ポケット１Ｅの他端側の先端部１２Ｅにおける上下方向の全部又は中間部と略揃うように短縮形成されてもよい。
【００６３】
また、表表紙４Ｅとポケット１Ｅとの間及び裏表紙５Ｅとポケット１Ｅとの間には、一端側で綴じ部材２１Ｅによってベース部２２Ｅに固定され、ポケット１Ｅと略同一サイズの大きさに形成された中間体６Ｅをそれぞれ備えている。この中間体６Ｅは、下端部が封止され、上端部が開封されたビニール製の袋状部材であり、綴じ具２Ｅに固定された一端側と対向する他端側には、上下方向に平行に形成された折り目を有し、当該折り目で蛇腹状に折り畳まれた折畳み部６２Ｅを備えている。折畳み部６２Ｅの構造は、第１実施例と共通する。
【００６４】
＜作用効果＞
以上詳細に説明したように、本実施形態に係るファイル１０、１０Ｂ、１０Ｃ、１０Ｄ、１０Ｅによれば、表表紙４、４Ｃ、４Ｅの幅方向先端部４１、４１Ｃ、４１Ｅ及び裏表紙５、５Ｃ、５Ｅの幅方向先端部５１、５１Ｃ、５１Ｅには、紙葉類１又はポケット１Ｄ、１Ｅの他端側を表表紙４、４Ｃ、４Ｅ及び裏表紙５、５Ｃ、５Ｅとともに綴じ具２、２Ｅを支点に略３６０度開いて折り返したとき、紙葉類１又はポケット１Ｄ、１Ｅの一端側と対向する他端側の先端部１２、１２Ｄ、１２Ｅにおける上下方向の全部又は一部と略揃うように短縮形成された把持用短縮部４２、４２Ｃ、４２Ｅ、５２、５２Ｃ、５２Ｅをそれぞれ備えているので、綴じ具２、２Ｅに一端側で綴じた紙葉類１又はポケット１Ｄ、１Ｅを略３６０度開いて折り返した開き状態を保持すべく、把持用短縮部４２、４２Ｃ、４２Ｅ、５２、５２Ｃ、５２Ｅが形成された範囲で紙葉類１又はポケット１Ｄ、１Ｅの他端側の先端部１２、１２Ｄ、１２Ｅ近傍を手で握るとき、表表紙４、４Ｃ、４Ｅの幅方向先端部４１、４１Ｃ、４１Ｅ及び裏表紙５、５Ｃ、５Ｅの幅方向先端部５１、５１Ｃ、５１Ｅは、紙葉類１又はポケット１Ｄ、１Ｅの他端側の先端部１２、１２Ｄ、１２Ｅより突出せず、邪魔とならない。そのため、把持用短縮部４２、４２Ｃ、４２Ｅ、５２、５２Ｃ、５２Ｅが形成された範囲においては、３６０度開き状態に折り返したファイル１０、１０Ｂ、１０Ｃ、１０Ｄ、１０Ｅを片手で安定して保持することができる。その結果、電車等の狭いスペース内でも折り返したファイル１０、１０Ｂ、１０Ｃ、１０Ｄ、１０Ｅを片手で保持しながら、紙葉類１に所要の筆記等を楽に行うことができ、又は、ポケット１Ｄ、１Ｅに収納した紙葉類に記載された文字等を楽に読むことができる。
【００６５】
よって、本実施形態によれば、表表紙４、４Ｃ、４Ｅと裏表紙５、５Ｃ、５Ｅとを装着した綴じ具２、２Ｅに一端側で綴じた紙葉類１又はポケット１Ｄ、１Ｅの他端側を表表紙４、４Ｃ、４Ｅ及び裏表紙５、５Ｃ、５Ｅとともに略３６０度開いて折り返すことによって、ファイルをコンパクト化できるとともに、折り返したファイルを片手で安定して保持しやすいファイル１０、１０Ｂ、１０Ｃ、１０Ｄ、１０Ｅを提供することができる。
【００６６】
また、本実施形態によれば、表表紙４、４Ｃ、４Ｅと紙葉類１又はポケット１Ｄ、１Ｅとの間、及び裏表紙５、５Ｃ、５Ｅと紙葉類１又はポケット１Ｄ、１Ｅとの間には、一端側で綴じ具２、２Ｅに装着され、紙葉類１又はポケット１Ｄ、１Ｅと略同一サイズの大きさに形成された中間体６、６Ｂ、６Ｅをそれぞれ備えているので、表表紙４、４Ｃ、４Ｅ及び裏表紙５、５Ｃ、５Ｅを閉じた閉じ状態にて把持用短縮部４２、４２Ｃ、４２Ｅ、５２、５２Ｃ、５２Ｅによって露出される紙葉類１又はポケット１Ｄ、１Ｅを中間体６、６Ｂ、６Ｅが保護することができる。そのため、閉じ状態におけるファイル１０、１０Ｂ、１０Ｃ、１０Ｄ、１０Ｅを鞄等に出し入れする場合や、当該ファイルを把持して持ち歩く場合等において、表表紙４、４Ｃ、４Ｅ及び裏表紙５、５Ｃ、５Ｅによってカバーされない紙葉類１又はポケット１Ｄ、１Ｅが汚れや損傷等を生じるのを中間体６、６Ｂ、６Ｅによって防止することができる。
【００６７】
よって、本実施形態によれば、表表紙４、４Ｃ、４Ｅ及び裏表紙５、５Ｃ、５Ｅによってカバーされない紙葉類１又はポケット１Ｄ、１Ｅの汚れや損傷等を中間体６、６Ｂ、６Ｅによって防止しつつ、ファイルをコンパクト化できるとともに、折り返したファイルを片手で安定して保持しやすいファイル１０、１０Ｂ、１０Ｃ、１０Ｄ、１０Ｅを提供することができる。
【００６８】
また、本実施形態によれば、中間体６、６Ｅは、一部（上端部６３）が開封可能に形成された袋状部材であり、綴じ具２、２Ｅに装着された一端側と対向する他端側には、上下方向に形成された折り目を有し蛇腹状に折り畳まれた折畳み部６２、６２Ｅを備えているので、多重構造となった折畳み部６２、６２Ｅによって他端側における中間体６、６Ｅの強度を高めることができる。そのため、表表紙４、４Ｃ、４Ｅ及び裏表紙５、５Ｃ、５Ｅによってカバーされない紙葉類１又はポケット１Ｄ、１Ｅの汚れや損傷等を、増強された中間体６、６Ｅの折畳み部６２、６２Ｅによって、より一層防止することができる。
【００６９】
また、袋状部材である中間体６、６Ｅに予備の紙葉類１又は綴じ孔１１が形成されていない紙葉類ＳＳを収納することによって、中間体６の強度を更に高めることができる。例えば、他端側に蛇腹状に折り畳まれた折畳み部６２、６２Ｅの折り目を幅方向に伸ばして、中間体６、６Ｅの内部に紙葉類１、ＳＳを収納することによって、中間体６、６Ｅにおける他端側の厚さをより一層増加させ、これによって他端側の強度を高めることができる。なお、中間体６、６Ｅには、綴じ具２に綴じ込まれた紙葉類１と略同一の大きさの紙葉類を収納可能に形成されていることによって、綴じ孔１１が形成されていない紙葉類ＳＳを一時的に保管することもできる。
【００７０】
よって、本実施形態によれば、表表紙４、４Ｃ、４Ｅ及び裏表紙５、５Ｃ、５Ｅによってカバーされない紙葉類１又はポケット１Ｄ、１Ｅの汚れや損傷等を、厚みを増加させた折畳み部６２、６２Ｅによって確実に防止しつつ、ファイルをコンパクト化できるとともに、折り返したファイルを片手で安定して保持しやすいファイル１０、１０Ｃ、１０Ｄ、１０Ｅを提供することができる。
【００７１】
また、本実施形態によれば、中間体６Ｂは、綴じ孔６１を有する一端側が所定の厚みを有する他端側より薄いフィルム部材６５で形成されているので、把持用短縮部４２、５２に対応する他端側で中間体６Ｂの厚みを増加させつつ、綴じ具２に綴じ込む一端側で中間体６Ｂの厚みを減少させることができる。そのため、綴じ具２に綴じ込む紙葉類１の枚数を減少させることなく、他端側の厚みを増加させた中間体６Ｂを装着することができる。
【００７２】
よって、本実施形態によれば、綴じ具２に綴じ込む紙葉類１の必要枚数を確保しやすく、且つ表表紙４及び裏表紙５によってカバーされない紙葉類１の汚れや損傷等を、他端側の厚みを増加させた中間体６Ｂによって確実に防止しつつ、ファイルをコンパクト化できるとともに、折り返したファイルを片手で安定して保持しやすいファイル１０Ｂを提供することができる。
【００７３】
また、本実施形態によれば、中間体６Ｂには、把持用短縮部４２、５２に沿って切り取られた表表紙４及び裏表紙５の短縮片６７又はその相当物が、表表紙４及び裏表紙５を閉じた閉じ状態における把持用短縮部４２、５２の内側と切り取り部６７ａで重なるように溶着又は貼着されているので、表表紙４及び裏表紙５を閉じた閉じ状態において、表表紙４の把持用短縮部４２と中間体６Ｂに溶着又は貼着された短縮片６７又はその相当物との境界部及び裏表紙５の把持用短縮部５２と中間体６Ｂに溶着又は貼着された短縮片６７又はその相当物との境界部で隙間を形成させず、一見、把持用短縮部４２、５２が形成されていない表表紙４及び裏表紙５を備えた普通のファイルと略同様に見える。そのため、表表紙４及び裏表紙５を閉じた閉じ状態におけるファイル１０Ｂの外観上の見栄えを向上させつつ、強度を高めることができる。
【００７４】
よって、本実施形態によれば、ファイルの外観上の見栄えと強度とを向上させつつ、ファイルをコンパクト化できるとともに、折り返したファイルを片手で安定して保持しやすいファイル１０Ｂを提供することができる。
【００７５】
また、本実施形態によれば、綴じ具２のベース部２２は、その幅方向の外形寸法が綴じ部材２１の幅方向の外形寸法より小さいので、綴じ具２に綴じた紙葉類１又はポケット１Ｄの他端側を表表紙４及び裏表紙５とともに綴じ具２を支点に略３６０度開いて折り返したとき、紙葉類１を略平行に折り返すことができる。そのため、略３６０度開いて折り返した紙葉類１に所要の筆記等を行う際、紙葉類１の膨らみが少なく書きやすい効果、又は略３６０度開いて折り返したポケット１Ｄに収納した紙葉類１、ＳＳに記載した文字等を読む際、ポケット１Ｄ及び紙葉類１、ＳＳの膨らみが少なく判読しやすい効果、を奏することができる。
【００７６】
よって、本実施形態によれば、略３６０度開いて折り返した紙葉類１又はポケット１Ｄに収納した紙葉類に対する筆記性、判読性を向上させつつ、ファイルをコンパクト化できるとともに、折り返したファイルを片手で安定して保持しやすいファイル１０、１０Ｂ、１０Ｃ、１０Ｄを提供することができる。
【００７７】
＜変形例＞
なお、本実施形態は、本発明の要旨を変更しない範囲で変更することが可能なことは言うまでもない。例えば、本実施形態の第１実施例では、表表紙４と紙葉類１との間及び裏表紙５と紙葉類１との間には、一端側に綴じ部材２１を挿入する綴じ孔６１が形成され紙葉類１と略同一サイズの大きさに形成された袋状部材の中間体６をそれぞれ１枚ずつ備えているが、当該中間体６をそれぞれ複数枚ずつ備えてもよい。この場合、中間体６の他端側に形成された折畳み部６２を、幅方向で互いに重ならない位置にずらしてもよい。
【００７８】
また、本実施形態の第２実施例において、中間体６Ｂには、把持用短縮部４２、５２に沿って切り取られた表表紙４及び裏表紙５の短縮片６７又はその相当物が、表表紙４及び裏表紙５を閉じた閉じ状態における把持用短縮部４２、５２の内側と切り取り部６７ａで重なるように溶着又は貼着されているが、第１実施例や第３〜５実施例の中間体６、６Ｅにも、第２実施例の短縮片６７又はその相当物を溶着又は貼着してもよい。
【００７９】
また、中間体６、６Ｂ、６Ｅは、一端側で綴じ具２、２Ｅに綴じ込まれた紙葉類１又はポケット１Ｄ、１Ｅと略同一サイズの大きさに形成されていれば、材質や色彩等は特に限定する必要がない。例えば、ボール紙、又は和紙、プラスチックシート等で形成してもよい。
【産業上の利用可能性】
【００８０】
本発明は、紙葉類又はポケットと、紙葉類又はポケットの一端側を綴じ込む綴じ具と、綴じ具に装着され紙葉類又はポケットを外側から保護する表表紙と裏表紙とを備え、紙葉類又はポケットの他端側を表表紙及び裏表紙とともに綴じ具を支点に略３６０度開いて折り返すことができるファイルとして利用できる。
【符号の説明】
【００８１】
１                    紙葉類
１Ｄ、１Ｅ            ポケット
２、２Ｅ              綴じ具
３、３Ｅ              背表紙
４、４Ｃ、４Ｅ        表表紙
５、５Ｃ、５Ｅ        裏表紙
６、６Ｂ、６Ｅ        中間体
１０、１０Ｂ、１０Ｃ  ファイル
１０Ｄ、１０Ｅ        ファイル
１１、１１Ｄ          綴じ孔
１２、１２Ｄ、１２Ｅ  先端部
２１、２１Ｅ          綴じ部材
２２、２２Ｅ          ベース部
４１、４１Ｃ、４１Ｅ  幅方向先端部
５１、５１Ｃ、５１Ｅ  幅方向先端部
４２、４２Ｃ、４２Ｅ  把持用短縮部
５２、５２Ｃ、５２Ｅ  把持用短縮部
６１                  綴じ孔
６２、６２Ｅ          折畳み部
６３                  上端部
６４                  下端部
６５                  フィルム部材
６７                  短縮片
６７ａ                切り取り部
【図１】
0006612146.tif 000002
【図２】
0006612146.tif 000003
【図３】
0006612146.tif 000004
【図４】
0006612146.tif 000005
【図５】
0006612146.tif 000006
【図６】
0006612146.tif 000007
【図７】
0006612146.tif 000008
【図８】
0006612146.tif 000009
【図９】
0006612146.tif 000010
【図１０】
0006612146.tif 000011
【図１１】
0006612146.tif 000012
【図１２】
0006612146.tif 000013
【図１３】
0006612146.tif 000014
【図１４】
0006612146.tif 000015
【図１５】
0006612146.tif 000016
【図１６】
0006612146.tif 000017
【図１７】
0006612146.tif 000018
【図１８】
0006612146.tif 000019
【図１９】
0006612146.tif 000020
【図２０】
0006612146.tif 000021
【図２１】
0006612146.tif 000022